(57)【要約】【課題】パルスにより制御される消去および書き込み動作に対する急峻なエッジが形成される信号増幅方法および増幅装置を提供することであり、その際に、制御ループの利点、すなわち、読み出し動作時のノイズビームが少ないことに関連する良好なノイズ抑圧が失われないようにすることである。【解決手段】種々異なるレベルを有する基準信号と、帰還結合減衰（２８）により減衰された、出力信号経路（２０）での帰還信号との差をサーボ増幅経路により増幅する信号増幅方法において、  サーボ増幅経路に、レベル変化の大きな動作時にはバイパス増幅経路（４０）を接続し、該バイパス増幅経路には基準信号に位相結合して給電され、かつ該バイパス増幅経路はサーボ増幅経路と共に出力信号経路（２０）に給電する、ことを特徴とする信号増幅方法。【選択図】図３
2006180517.tif 000002
【特許請求の範囲】
【請求項１】
種々異なるレベルを有する基準信号と、帰還結合減衰（２８）により減衰された、出力信号経路（２０）での帰還信号との差をサーボ増幅経路により増幅する信号増幅方法において、
サーボ増幅経路に、レベル変化の大きな動作時にはバイパス増幅経路（４０）を接続し、該バイパス増幅経路には基準信号に位相結合して給電され、かつ該バイパス増幅経路はサーボ増幅経路と共に出力信号経路（２０）に給電する、ことを特徴とする信号増幅方法。
【請求項２】
請求項１記載の信号増幅方法において、サーボ増幅経路を、バイパス増幅経路（４０）が接続された状態では、バイパス増幅経路（４０）が接続されない場合よりも小さなバンド幅により駆動する方法。
【請求項３】
請求項２記載の信号増幅方法において、バイパス増幅経路（４０）の制御可能な増幅率を帰還結合減衰（２８）の逆数の関数に調整する方法。
【請求項４】
請求項３記載の信号増幅方法において、さらに基準信号と帰還信号との差を測定値検出器（７２；９４）により検出する方法。
【請求項５】
請求項４記載の信号増幅方法において、バイパス増幅経路（４０）の増幅率を、測定値検出器（７２；９４）と結合した制御部（３２）により、検出された差に依存して制御する方法。
【請求項６】
請求項５記載の信号増幅方法において、帰還信号の最大値と基準信号の最大値との差、および／または帰還信号の最小値と基準信号の最小値との差を形成する方法。
【請求項７】
請求項６記載の信号増幅方法において、信号レベルの高い基準信号による動作時には、低信号レベルの基準信号による動作時よりも大きなパルス変化をバイパス増幅経路（４０）で調整する方法。
【請求項８】
サーボ増幅器（３８）と、基準信号発生器（３０；３０．１，３０．２）と、帰還供給路（２４）とを有する増幅装置（３６；８８）であって、
前記サーボ増幅器（３８）は、基準信号入力端（１４）と、帰還信号入力端（１６）と、出力信号端子（１８）とを有し、該出力信号端子は出力信号経路（２０）に給電し、
前記基準信号発生器（３０；３０．１，３０．２）は、レベルの種々異なる基準信号を基準信号入力端（１４）に送出し、
前記帰還供給路（２４）は、帰還結合減衰（２８）の値だけ減衰された、出力信号経路（２０）からの信号を帰還信号として帰還信号入力端（１６）に送出し、
前記サーボ増幅器（３８）が基準信号と帰還信号との増幅された差を出力信号経路（２０）に供給する形式の増幅装置において、
増幅装置（３６；８８）は、接続可能なバイパス増幅経路（４０）を有し、該バイパス増幅経路は、接続された状態において基準信号発生器（３０；３０．１、３０．２）の信号に位相結合して給電され、かつ前記バイパス増幅経路はバイパス出力信号を出力信号経路（２０）に供給する、ことを特徴とする増幅装置。
【請求項９】
請求項８記載の増幅装置（３６；８８）において、サーボ増幅器（３８）のバンド幅は、大きさの異なる値の間で調整可能であり、サーボ増幅器（３８）はバイパス増幅経路（４０）が接続された状態では、バイパス増幅経路が接続されない場合よりも小さなバンド幅により動作する増幅装置。
【請求項１０】
請求項８または９記載の増幅装置（３６；８８）において、バイパス増幅経路（４０）は制御可能な増幅率を有し、増幅装置（３６；８８）は制御可能な増幅率を帰還結合減衰（２８）の逆数の関数に調整する増幅装置。
【請求項１１】
請求項１０記載の増幅装置（３６；８８）において、基準信号と帰還信号の差を検出する測定値検出器（７２；９４）が設けられている増幅装置。
【請求項１２】
請求項１１記載の増幅装置（３６；８８）において、測定値検出器（７２；９４）と結合した制御部（３２）が設けられており、該制御部はバイパス増幅経路（４０）の増幅率を検出された差に依存して制御する増幅装置。
【請求項１３】
請求項１２記載の増幅装置（３６；８８）において、測定値検出器（７２；９４）は、帰還信号の最大値と基準信号の最大値との差、および／または帰還信号の最小値と基準信号の最小値との差を形成する増幅装置。
【請求項１４】
請求項１３記載の増幅装置（３６；８８）において、増幅装置（３６；８８）はバイパス増幅器（４２）の制御可能な増幅率を帰還結合減衰の逆数の関数に調整するために、信号レベルが高い基準信号による動作の場合には基準信号の信号レベルが低い場合よりも大きなパルス変化をバイパス増幅経路（４０）で調整する増幅装置。
【発明の詳細な説明】
【技術分野】
【０００１】
本発明は、種々異なるレベルを有する基準信号と、帰還結合減衰により減衰された出力信号経路の帰還信号との差をサーボ増幅経路により増幅する信号増幅方法に関する。
【０００２】
本発明はさらに、サーボ増幅器と、基準信号発生器と、帰還供給路とを有する増幅装置に関するものであり、前記サーボ増幅器は、基準信号入力端と、帰還信号入力端と、出力信号端子を有し、該出力信号端子は出力信号路に給電し、前記基準信号発生器は、レベルの種々異なる基準信号を基準信号入力端に送出し、前記帰還供給路は、帰還結合減衰の値だけ減衰された、出力経路からの信号を帰還信号として帰還信号入力端に送出し、サーボ増幅器が基準信号と帰還信号との増幅された差を出力信号路に供給する。
【０００３】
ここでサーボ増幅の概念は、値１よりも格段に大きな増幅率を表す。
【背景技術】
【０００４】
このような信号増幅方法と増幅装置はそれぞれＤＥ１９８２３０９６Ａ１から公知であり、例えばＣＤおよび／またはＤＶＤ装置に対するレーザダイオードを駆動するのに使用される。レーザ動作（読み出し）では、レーザダイオードが直流で駆動され、この直流に高周波信号が重畳される。高周波信号はレーザダイオードのノイズの影響を低減するが、しかし基本的に不所望のノイズビームの原因となる。この弊害を除去するためにノイズの影響は付加的に、光学的帰還結合により接続されたループの比較的広帯域なループ増幅によって抑圧される。ノイズの影響を広帯域に付加的に抑圧するので、高周波信号の振幅、およびひいては不所望のノイズビームを比較的小さく抑えることができる。消去および書き込み動作では、この適用で放射されたレーザダイオードの光出力により表される出力信号が、増幅に対する入力信号として用いられる基準信号に追従する。ここでは消去動作および書き込み動作で種々異なるレベルの光出力が必要であり、この光出力は基準信号の種々のレベルによって形成することができる。書き込み動作は通常、最も高い光出力を必要とする。書き込み／読み出しストラテジーに応じて、任意の高さのレベルが必要であるか、または有利である。
【０００５】
一般的に電流パルスの急峻なエッジが所望され、このエッジによりレーザダイオードが制御される。ＤＥ１９８２３０９６にはこの観点から最適のループ増幅が記載されている。このループ増幅は一方ではできるだけ高くすべきであるが、他方では不安定性につながってはならない。ここでループ増幅とは、ループで作用する全体増幅であると理解されたい。ＤＥ１９８２３０９６ではこの関連から、ループ増幅を制御し、このとき、制御量（例えばレーザダイオード光出力）の実際値を、案内量（例えば基準信号）のパルス形状が変化する場合に、所定の公差値だけ目標値より上に過励振させることが提案されている。ここでの基本的問題は、急峻なパルスエッジに対して必要な、時間領域での高速の変化には、周波数領域での大きなバンド幅が伴うことである。従って制御ループの素子のバンド幅が制限されていると、エッジ急峻度が不所望に制限され、このことは例えば高い書き込み速度に対する妨げとなる。
【特許文献１】ＤＥ１９８２３０９６
【発明の開示】
【発明が解決しようとする課題】
【０００６】
本発明の課題は、とりわけパルスにより制御される消去および書き込み動作に対する急峻なエッジが形成される信号増幅方法および増幅装置を提供することであり、その際に、制御ループの利点、すなわち、読み出し動作時のノイズビームが少ないことに関連する良好なノイズ抑圧が失われないようにすることである。
【課題を解決するための手段】
【０００７】
この課題は、冒頭に述べた信号増幅方法において、サーボ増幅経路に、レベル変化の大きな動作時にバイパス増幅経路を接続し、該バイパス増幅経路は基準信号に位相結合して給電され、かつバイパス増幅経路はサーボ増幅経路と共に出力信号経路に給電するように構成して解決される。
【０００８】
さらにこの課題は冒頭に述べた増幅装置において、増幅装置が接続可能なバイパス増幅経路を有し、該バイパス増幅経路には接続状態で、基準信号発生器の信号に位相結合して給電され、かつ前記バイパス増幅経路はバイパス出力信号を出力信号経路に供給するように構成して解決される。
【発明を実施するための最良の形態】
【０００９】
この構成によって、例えばレーザダイオードの高速書き込み動作の際に必要な大きなレベル変化がバイパス増幅経路によって形成される。バイパス増幅経路ではサーボ増幅器の制御ループのバンド幅が制限されず、従ってバンド幅制限されたエッジ急峻度の欠点が有効に回避される。読み出し動作で発生するような小さなレベル変化に対しては、サーボ増幅経路を備える制御ループをさらに使用することができ、従って、読み出し動作ではノイズビームが小さいという良好なノイズ抑圧の利点が維持される。
【００１０】
信号増幅方法の構成の枠内で有利には、サーボ増幅器をバイパス増幅経路が接続された状態では、バイパス増幅経路が接続されない場合よりも小さなバンド幅により駆動する。
【００１１】
サーボ増幅経路を比較的に小さなバンド幅により駆動すると、上記の時間−バンド幅関係から、サーボ増幅経路の基準信号変化に対する応答が緩慢になる。この場合に接続されるバイパス増幅経路との関連で、高速のバイパス増幅経路が高速変化の大部分を形成し、緩慢なサーボ増幅経路が緩慢な信号変化の大部分を形成するという所望の作用が得られる。緩慢な信号変化は例えば、制御量の平均値のドリフトを補償するために必要である。言い替えると、この構成は経路を少なくとも部分的に分離し、従ってその役目を経路間で分散させる。
【００１２】
またバイパス増幅経路の制御可能な増幅率を帰還結合減衰の逆数の関数に調整すると有利である。
【００１３】
その結果、理想的な場合には、サーボ増幅器の基準信号入力端と帰還信号入力端とで同じ信号が調整される。サーボ増幅器の入力端はこのことにより理想的な場合には制御されない。これにより２つの経路が完全に分離され、役目がはっきりと分離される。
【００１４】
さらに基準信号と帰還信号との差を測定値検出器により検出すると有利である。
【００１５】
この構成により、バイパス増幅経路の増幅率を検査することができる。なぜなら、サーボ増幅経路が定常動作しており、バイパス増幅経路の増幅率が適切な場合、差は所定の値、例えば値ゼロを取らなければならないからである。
【００１６】
バイパス増幅経路の増幅を測定値検出器と関連した制御により、検出された差に依存して制御することも有利である。
【００１７】
この構成により、バイパス増幅経路の増幅が別の閉制御ループに組み込まれ、この制御ループにより適切な増幅率が調整される。
【００１８】
ここで有利には、帰還信号の最大値と基準信号の最大値との差、および／または帰還信号の最小値と基準信号の最小値との差を形成する。
【００１９】
これらの値の検出により、バイパス増幅経路の増幅をダイナミックモードで調整することができる。ダイナミックモードとはここではパルスによる駆動と理解されたい。
【００２０】
さらに信号レベルの高い基準信号による動作時には、低信号レベルの基準信号による動作時よりも大きなパルス変化をバイパス増幅経路で調整すると有利である。
【００２１】
この構成により、例えば非線形特性曲線を有するレーザダイオードによる動作時に発生するような信号経路での非線形性の場合でも、増幅率を非線形性の種々異なる領域で適切に調整することができる。
【００２２】
増幅装置の構成では、サーボ増幅器のバンド幅が大きさの異なる値の間で調整可能であり、サーボ増幅器はバイパス増幅経路が接続された状態では、バイパス増幅経路が接続されない場合よりも小さなバンド幅により動作すると有利である。
【００２３】
バイパス増幅経路は制御可能な増幅率を有し、増幅装置が制御可能な増幅率を帰還結合減衰の逆数の関数に調整すると有利である。
【００２４】
さらなる構成は、基準信号と帰還信号との差を検出する測定値検出器を特徴とする。
【００２５】
この構成の改善形態では、バイパス増幅経路の増幅率を検出された差に依存して制御するように、測定値検出器と関連した制御を行う。
【００２６】
ここで有利には、測定値検出器は、帰還信号の最大値と基準信号の最大値との差、および／または帰還信号の最小値と基準信号の最小値との差を形成する。
【００２７】
さらに増幅装置がバイパス増幅経路の制御可能な増幅率を、帰還結合減衰の逆数関数に調整するために、基準信号の信号レベルが高い場合には信号レベルが低い場合よりも大きなパルス変化をバイパス増幅経路で調整すると有利である。
【００２８】
増幅装置の前記構成に対しては、それぞれ相応する方法請求項の場合と同じ利点が得られる。従いこの関連で上記の利点を参照することができる。
【００２９】
さらなる利点は明細書および添付図面から明らかである。
【００３０】
前記の特徴および後で説明する特徴は、本発明の範囲を逸脱することなしに、それぞれの組み合わせ、または他の組み合わせ、または単独で適用することができる。
【実施例】
【００３１】
図１は、基準信号入力端１４、帰還信号入力端１６、および出力信号端子１８を有するサーボ増幅器１２を備えた公知の増幅装置を示す。出力信号端子１８は、駆動構成部材２２が配置された出力信号経路２０に給電し、この駆動構成部材は帰還結合部２４に給電する。構成部材２２は例えばＣＤ機器またはＤＶＤ機器のレーザダイオードである。帰還結合部２４はこの例では、レーザダイオード２２とフォトダイオード２６との間の光学的結合からなり、フォトダイオードは、帰還結合減衰の値だけ減衰された信号を出力信号経路２０から帰還信号としてサーボ増幅器１２の帰還信号入力端１６に送出する。図１では帰還結合減衰がブロック２８により表されている。このブロックはレーザダイオード２２が帰還結合減衰に及ぼす影響も含む。増幅装置１０はさらに基準信号発生器３０を有しており、この基準信号発生器は制御部３２により制御され、制御部３２の制御信号に依存してレベルの種々異なる基準信号を基準信号入力端１４に送出する。
【００３２】
図１のレーザダイオード２２は例えば区間ごとに線形の特性曲線３４を有し、この特性曲線は放射された光出力Ｐと、サーボ増幅器１２の出力信号としての電流Ｉとの依存関係をシミュレートする。このような特性曲線に対して典型的には、駆動電流Ｉが閾値Ｉ＿ＳＷに達するか、これを上回ると初めて、レーザ閾値より上で測定可能な光出力が発生する。図１の対象では、制御部３２が基準信号発生器３０を、レーザダイオード２２の読み出し動作のために制御し、基準信号発生器３０は直流信号を基準信号入力端１４に送出する。冒頭に述べた高周波信号は信号経路に、例えばレーザダイオード２２の上流で供給される。サーボ増幅器１２は直流入力信号に応答し、出力電流Ｉを出力し、この出力電流はレーザダイオード２２をスイッチオンし、帰還結合部２４をアクティベートする。次に制御ループは、レーザダイオード２２の連続的出力電力に定常発振し、このとき帰還信号入力端１６での帰還信号と、基準信号入力端１４での基準信号との有限差が調整される。ノイズの影響は読み出し動作では、比較的大きなバンド幅により行われるループ増幅によって、重畳された高周波信号と関連して抑圧される。書き込み動作ではレーザダイオードの光出力が、種々異なるレベルで変化する基準信号に追従する。
【００３３】
図３は、本発明の特徴および本発明の構成が実現された増幅装置３６を示す。増幅装置３６はサーボ増幅器３８を有し、このサーボ増幅器はず１のサーボ増幅器１０に相当することができる。しかしサーボ増幅器３８は本発明の構成の枠内でさらなる特徴を有することができ、従って固有の参照番号３８により示されている。しかしとりあえず、図１のサーボ増幅器１０に相当する場合、サーボ増幅器３８は基準信号入力端１４、帰還信号入力端１６および出力信号端子１８に給電すれば十分である。
【００３４】
さらに増幅装置３６は、出力信号経路２０，レーザダイオード２２、帰還結合部２４、フォトダイオード２６、帰還結合減衰部２８および基準信号源３１を有し、基準信号源は直流源３１と制御部３２を有する。制御部３２は破線接続３３ｅおよび３３ｄを介してイネーブル信号とデータ信号を基準信号発生器３０に送出する。データ信号を介して電流強度、およびひいては電流Ｉ１に対する基準信号のパルスレベルが調整され、一方、イネーブル信号は基準信号および／または基準信号に重畳されたパルスを最も簡単な場合、スイッチオン・オフする。一般的に、基準信号発生器３０は複数のＤ／Ａ変換器を有し、これらは個別のイネーブル信号およびデータ信号を介して制御され、その関与が基準信号に加算される。
【００３５】
もっとも広い実現において、増幅装置３６は公知の増幅装置１０から、接続可能なバイパス増幅経路４０を有する点で異なっており、このバイパス増幅経路には、接続された状態において、基準信号発生器の信号に位相結合して給電され、かつ前記バイパス増幅経路はバイパス出力信号を出力信号経路２０に供給する。図示の実施例で、バイパス増幅経路４０は固有の基準信号発生器４１によって給電される。この基準信号発生器はサーボ増幅器３８の基準信号発生器３０と同様に構成することができる。制御部３２は破線接続３５ｅおよび３５ｄを介してイネーブル信号とデータ信号を基準信号発生器４１に送出する。直流源４２は直流１２を基準信号発生器４１に送出する。直流１２は制御部３２により調整可能であり、Ｉ１より大きいまたは小さい値に調整することができる。このために制御部３２は増幅制御信号を破線接続３５ｖを介して直流源４２に送出する。従って直流源４２はバイパス増幅器４２であり、このバイパス増幅器はＩ１を基準にしてＩ２を可変増幅および／または可変減衰することができ、基準信号発生器４１の入力側に配置されている。２つの経路の位相結合された給電はこの構成の枠内で、基準信号発生器３０と４１に対して位相結合されたイネーブル信号によって行われる。
【００３６】
サーボ増幅経路の基準信号発生器３０の出力信号と、バイパス増幅経路４０の基準信号発生器４１の出力信号は同じにすることができ、または位相ずれを有することができ、または異なるレベルを有することができる。しかし２つの基準信号は均一な位相関係を有するべきである。すなわち位相結合されている。位相ずれの場合、有利にはサーボ増幅経路のイネーブル信号は、バイパス増幅経路のイネーブル信号に対して遅延されている。さらに増幅を択一的にまたは補充的に基準信号発生器４１の出力側で行うことができる。
【００３７】
バイパス経路４０の接続は、図３の対象ではスイッチ４４によって行われ、このスイッチは制御部３２により操作される。しかし接続は択一的に、基準信号発生器４１に対する相応のイネーブル信号によって実現することもできる。出力信号経路２０での給電は加算ノード４６によって行われる。この加算ノードは、サーボ増幅器３８の出力信号端子１８とレーザダイオード２２との間の出力信号経路２０に配置されている。いずれの場合でもバイパス増幅経路４０は、サーボ増幅器３８の入力端１４での基準信号に位相結合して給電され、スイッチ４４が閉じているときに出力信号経路２０に給電する。加算ノード４６とレーザダイオード２２との間でさらなる信号増幅および／または高周波信号の供給を行うことができる。
【００３８】
ここまでに説明した増幅装置３６により、本発明の方法がもっとも広い形態で次のように実現される。すなわち、バイパス増幅経路４０が、基準信号発生器３０から出力される基準信号が大きくレベル変化する際に接続されるか、ないしは相応のイネーブル信号を介してアクティベートされることにより実現される。このことによりサーボ増幅器３８は、基準信号のレベル変化が大きい場合（急峻なエッジを必要とする）、抑圧され、バイパス増幅経路４０が増幅された基準信号レベルを、サーボ増幅器３８を迂回して出力信号経路２０に送出する。バイパス増幅経路４０のエッジ急峻度は、サーボ増幅制御ループのエッジ急峻度とは異なり、制御ループのエレメントのバンド幅によって制限されないから、バイパス増幅経路４０を備える増幅装置３６によって格段に高い書き込み速度が可能となる。これに対して読み出し動作の場合、有利にはスイッチ４４は開放され、従ってサーボ増幅器３８だけがレーザダイオード２２を駆動する。この場合、サーボ増幅器３８，レーザダイオード２２および帰還結合路２４からなる制御ループが完全に作用し、すでに述べた良好なノイズ抑圧をノイズビームが小さいことと関連して行う。
【００３９】
ここに記載された限りの増幅装置３６では、サーボ増幅器３８が書き込み動作でも有効であり、このことはバイパス増幅経路４０との不所望の交互作用を引き起こすことがある。この交互作用を減少するために、本発明の構成はサーボ増幅器３８のバンド幅が書き込み動作では低減される。このことは図３にブロック４８によって表されており、このブロックはスイッチ４４の操作に平行して操作され、スイッチ４４が閉じているときにサーボ増幅器３８のバンド幅が低減される。ここでサーボ増幅器３８のバンド幅は、書き込み動作での高速の基準信号変化に追従できなくなり、高速の書き込みパルスシーケンスの平均値だけが出力信号端子１８に生成されるまで低減される。しかしサーボ増幅器３８の能力が維持されるようにするため、閾値Ｉ＿ＳＷと、書き込みパルスシーケンスの、この閾値を越える直流成分を送出する。このことにより、サーボ増幅器３８を有するサ―ボ増幅経路の役目と、バイパス増幅器４２を有するバイパス増幅経路４０の役目が十分に分離される。
【００４０】
サーボ増幅経路とバイパス増幅経路４０とのさらなる十分な分離は、制御部３２がバイパス増幅経路４０の増幅率を理想的には、制御ループで作用する帰還結合減衰全体の逆数の関数に調整し、サーボ増幅器３８の入力端１４，１６に印加される信号が同じになるようにすることで達成される。サーボ増幅器３８の入力端１４，１６には、大きくレベル変化する基準信号と帰還信号との差が印加される。バンド幅の小さいサーボ増幅器３８はある程度、ローパスフィルタとして動作するから、サーボ増幅器は理想的にはレーザダイオード２２の閾値電流を加算点４６に送出する。
【００４１】
さらに加算点４６にはレベル変化の大きなバイパス増幅経路４０の信号が供給される。増幅率は理想的には作用する帰還結合の逆数に相当するから、帰還結合と増幅とが帰還結合部２４でちょうど補償され、帰還信号入力端１６にはレベル変化の大きな基準信号の交流成分が印加される。レーザダイオードの閾値電流はある程度すでに、レーザダイオードによって減算される。なぜなら閾値電流よりも小さい電流は帰還結合に寄与しないからである。サーボ増幅器３８の基準信号入力端１４にも同様にレベル変化の大きな基準信号が印加されるから、基準信号の交流成分は差形成の際になくなる。
【００４２】
従ってレーザダイオード２２は、サーボ増幅器３８により生成された閾値電流によっても、バイパス増幅器４２により生成された、レベル変化の大きな基準信号によっても駆動される。このことにより高速の消去および書き込み過程が可能となる。サーボ増幅器３８の入力端１４，１６に印加される信号の差が形成されるから、サーボ増幅器３８は定常状態では制御されない。従って前記の理想例の場合、サーボ増幅器３８を有するサーボ増幅経路とバイパス増幅器４２を有するバイパス増幅経路４０との完全な分離が達成される。
【００４３】
このような理想的な分離を、構成部材、とりわけレーザダイオード２２の温度に依存するドリフトの影響があっても、かつ製造に起因するばらつきがあっても達成するために、基準信号と帰還信号との差が検出され、制御部３２およびブロック４２を介してバイパス増幅経路４０の増幅率の調整のために使用される。増幅率の調整は図３の対象では、基準信号発生器４１の直流側で電流Ｉ２の変化により行われる。図３の対象ではそのために、制御部３２に基準信号の帰還信号の値が接続５２と５４を介して高インピーダンスで供給される。これらの値の検出はダイナミックモードで行われる。
【００４４】
このような測定で使用され、検出される信号が概略的に図４に示されている。基準信号発生器３０は例えばパルスシーケンス５４を、サーボ増幅器３８の基準信号入力端１４に送出する。閉じたスイッチ４４はバイパス増幅経路４０をアクティベートする。パルスシーケンス５４は、平均値ｍ０を中心にしてレベルｈ０を有する矩形信号として発振する。バイパス増幅経路４０の増幅率が制御ループの帰還結合減衰に正確に相当すれば、サーボ増幅器３８の帰還信号入力端１６にはパルスシーケンス５４に相当する曲線経過５６が生じる。従って２つの信号５４と５６のとして図４の信号６２が発生する。すなわち値がゼロである信号が発生し、ここでは直流値Ｇ１＝０に相当する。ここで信号５４と５６の値は例えばサンプル＆ホールド検出器により走査することができる。択一的にこれらの値はピーク検出器により検出することができる。サンプル＆ホールド検出器もピーク検出器も制御部３２に組み込むことができる。いずれの場合でも信号５６，６４，６８の最大値（最小値）が直流値として検出され、同様に直流値として検出された基準信号５４の最大値（最小値）と比較される。信号５４，５６，６４，６８の形状はそれぞれ２つのレベルを有する図示の矩形形状に制限されるものではなく、パルスシーケンスにおいて別の異なるステップレベルを有することができる。この場合も、比較のためにパルスシーケンスの最大値または最小値が求められる。
【００４５】
レベルｈ１が基準パルスシーケンス５４のレベルｈ０よりも高い曲線経過６４は、バイパス増幅器４２の増幅率が過度に大きい場合に生じる。差は、図４の信号６６として示された曲線経過に相応する。直流値Ｇ２として形成された、信号６４と５４の差はこの場合、その値が負であることを特徴とする。このことは制御部３２により、バイパス増幅経路４０の増幅率を電流１２の低下により減少させるために使用される。
【００４６】
これに対して曲線経過６８は、バイパス増幅経路４０の増幅率が過度に小さい場合に、サーボ増幅器３８の帰還信号入力端１６に生成される。帰還信号入力端１６では、信号レベルｈ２を有する信号６８が変動する。この信号レベルｈ２は、サーボ増幅器３８の基準信号入力端１４での基準信号変動のレベルｈ０よりも小さい。信号５４と６８の差として、図４に曲線経過７０により表される時間経過が生成される。直流値Ｇ３として形成された、信号５４と６８の差は、その値が正であることを特徴とする。この場合、制御部３２は、バイパス増幅経路の増幅率を電流１２の上昇により増大する。
【００４７】
パルスシーケンスの最大値の代わりにそれぞれ最小値が検出される場合、制御部は差の正の直流値から過度の大きな増幅率を識別し、差の負の直流値から過度に小さな増幅率を識別する。
【００４８】
図５は、制御部３２に組み込まれた測定値検出器７２を示す。測定値検出器７２は第１ピーク検出器７４を有し、このピーク検出器はサーボ増幅器３８の基準入力端１４において基準信号の最大値または最小値を検出する。第２ピーク検出器７６はサーボ増幅器３８の帰還信号入力端１６と接続されており、帰還信号の相応の最大値または最小値を検出する。結合点７８では、検出された最大値または最小値の差形成が行われる。ブロック８０は、結合点７８で形成された差を、図４に関連して説明したように評価する。この場合、ブロック８０は、差の値を所定のクロックで走査する。このクロックの持続期間は、サーボ増幅器３８の過渡時間よりも大きい。さらにブロック８０は直流源４２、ないしバイパス増幅器４２を評価された差に依存して制御し、これによりバイパス増幅器４２の増幅率を制御する。
【００４９】
図６は、非線形動作するレーザダイオードの第２特性曲線を示す。非線形特性曲線８２の場合、基準信号の比較的高いレベルが、図３の増幅器構成３６においては比較的に低いレベルよりも弱い増幅を受けるという問題がある。このため、例えば特性曲線８２の下方領域では帰還結合減衰の逆数に相応するバイパス増幅器の増幅率が、特性曲線８２の上方領域ではこれから異なってしまう。このため、図３に示したような増幅器構成３６の場合、サーボ増幅経路とバイパス増幅経路との所望の完全な分離は、非線形特性曲線８２の一部の領域でだけ達成される。
【００５０】
図７は、別の変形増幅器構成８８を示す。この増幅器構成は上記欠点を回避しており、非線形特性曲線８２を急峻な直線区間８４と平坦な直線区間８６によって近似させている。ここで図３ですでに使用した参照符号は図３に関連して説明したエレメントに相応し、従ってこれらのエレメントの機能を繰り返し説明しない。図３の対象と図７の対象との相違は、図３の基準信号発生器３０が図７では複数の基準信号発生器３０．１および３０．２により置換されており、図３の基準信号発生器４１が図７では複数の基準信号発生器４１．１と４１．２、および別の増幅素子４３により置換されていることである。基準信号発生器３０．１と４１．１は例えば、急峻な直線区間８４に所属するパルスおよび／または直流に関与するものであり、基準信号発生器３０．２と４１．２は平坦な直線区間８６に関与するものである。
【００５１】
基準信号発生器の数に相応して、所属のイネーブル信号接続およびデータ信号接続の数も増大する。接続３３ｅｌ、３３ｄｌ（３３ｅ２，３３ｄ２；３５ｅｌ，３５ｄｌ；３５ｅ２，３５ｄ２）はそれぞれイネーブル信号およびデータ信号を基準信号発生器３０．１（３０．２；４１．１；４１．２）に伝送する。複数の基準信号発生器３０．１と３０．２の関与は加算点９０で加算され、サーボ増幅器３８の基準信号入力端１４に供給される。同じように基準信号発生器４１．１と４１．２の関与は、バイバス増幅経路４０の加算ノード９１で加算される。
【００５２】
書き込みのためには最高の信号レベルが、読み出しのためには格段に低い信号レベルが、そして消去のためには前記２つの信号レベルの間にある信号レベルが必要である。しかしこれら３つの信号レベルはここでは、書き込みストラテジーの枠内で使用することのできる任意の多数の異なる信号レベルに対する代表例である。書き込み信号は例えばすべての基準信号発生器３０．１、３０．２、４１．１、４１．２の関与の和により形成することができ、特性曲線８２の平坦な曲線区間８６にある。これに対して読み出し信号と消去信号は、基準信号発生器３０．２と４１．２の関与なしで形成され、特性曲線８２の急峻な区間８４にある。非線形特性曲線を２つの直線区間８４，８６により近似することは図示の実施例でこの構成に相応して行われる。
【００５３】
両方の場合でそれぞれバイパス増幅経路４０の適切な増幅率を調整できるようにするため、別の増幅素子４３が設けられている。この別の増幅素子４３は出力電流Ｉ２′を形成し、この出力電流は特性曲線８２の場合、その入力電流Ｉ２よりも大きい。従って比較的に大きな出力電流Ｉ２′は比較的に大きな増幅率を表し、この増幅率により、下方の特性曲線区間で、すなわち直線区間８６で特性曲線８２が平坦に経過することによるレーザダイオード２２の比較的に大きい帰還結合減衰が、平坦な特性曲線領域ではパルスを非常に大きく上昇させることによって補償される。この場合、非常に大きな上昇とは、関与（４１．２）を関与（４１．１）により割り算した商が、関与（３０．２）を関与（３０，１）により割り算した商よりも大きいと理解されたい。
【００５４】
増幅率はさらに、基本的に図４と５に関連して説明したように適合することができる。ここではブロック４２により行われる増幅の適合のために、とりわけ読み出し信号と消去信号のために、図４の信号５４，５６，６４，６８の最小値の直流値が使用される。ここでは接続３５ｖ１を介して電流Ｉ２が調整される。これに対して、高い信号レベル、すなわちとりわけ特性曲線８２の平坦区間８６にある書き込み信号に対して、ブロック４３を介して行われる増幅率の補充的適合は、直流値として検出された図４の信号５４，５６，６４，６８の最大値の評価に基づいて行われる。このために制御部３２により、接続３５ｖ２を介して電流Ｉ２′が補充的に調整される。
【００５５】
この信号の最小値および最大値の直流値を検出するために、測定値検出器９４が制御部３２に組み込まれている。この測定値検出器は例えば図８に示された構造を有する。図８の構造体の上半分は参照符号１４，１６，７４，７６，７８，８０，４２を有し、これらはすでに図５の測定値検出器７２と関連して使用されたものである。これらのエレメントの機能は、すでに説明した測定値検出器７２の機能に相当する。これらのエレメントは図８の場合、図４の信号５４，５６，６４，６８の最小値を検出する。
【００５６】
この構造体では、２つのさらなるピーク検出器９６，９８と結合部１００が補充されており、これらは図４の信号５４，５６，６４，６８の最大値を検出する。検出された最小値は、ブロック４２またはブロック４２と４３を介して調整される増幅値の適合に用いられる。検出された最大値は、ブロック４３により補充的に調整される増幅値の調整に用いられる。
【００５７】
ブロック８０に組み込まれたデジタル制御部によって、ノード７８で形成された差はブロック４２での増幅率の制御だけに、またはブロック４２と４３での増幅率の制御に切り替えられる。これに対してノード１００で形成された差は、ブロック４３での増幅率の制御だけに使用される。
【図面の簡単な説明】
【００５８】
【図１】図１は、公知の増幅装置を示す。
【図２】図２は、線形動作するレーザダイオードの第１特性曲線を示す。
【図３】図３は、本発明の増幅装置の第１実施例を示す。
【図４】図４は、図３の対象において、本発明の信号増幅方法の実施例で発生する信号を示す。
【図５】図５は、図４の信号の特性を測定するための構成を示す。
【図６】図６は、非線形動作するレーザダイオードの第２特性曲線を示す。
【図７】図７は、本発明の増幅装置の第２実施例を示す。
【図８】図８は、非線形特性に対する、図４の信号の特性を測定するための構成を示す。
【図１】
2006180517.tif 000003
【図２】
2006180517.tif 000004
【図３】
2006180517.tif 000005
【図４】
2006180517.tif 000006
【図５】
2006180517.tif 000007
【図６】
2006180517.tif 000008
【図７】
2006180517.tif 000009
【図８】
2006180517.tif 000010